(57)【要約】【課題】自動検針を無線で行う自動検針無線機に対して無線通信不良が発生した場合、通信不良の原因を解析し、対処できるようにしたものである。【解決手段】複数の周波数帯域における電波の有無を検出する電波検出部８と、電波強度を測定する電波強度測定部１１と、電波強度を表示する電波強度表示部１４と、複数の周波数帯域から第１と第２の周波数帯域における通信内容を解析する電文解析部１５，１６と、通信内容を送信する電文通信部１７，１８と、第１と第２の周波数帯域を選択する周波数選択部２３，２４と、現在時刻を計数する時刻計数部１９と、電文通信部１７，１８から受信した内容を記憶する記憶部２０の内容を電文表示部２１に表示させる制御部２２からなり、電文表示部２１に対しそれぞれ受信時刻順に受信内容の表示を行うようにしたものである。【選択図】  図１
2004215154.tif 000002
【特許請求の範囲】
【請求項１】
回線を介して隔測検針装置と接続される無線親機とメータに接続される無線子機との間で第１の周波数帯域で無線による通信を行い、前記第１の周波数帯域が使用中の場合、第２の周波数帯域に切り替えて無線による通信を行い、前記メータと隔測検針装置との間を通信可能として前記メータの検針を行う自動検針システムの自動検針無線機に対して無線の通信状態を計測する自動検針無線計測装置において、前記自動検針無線計測装置は、複数の周波数帯域における電波の有無を検出する複数の電波検出部と、複数の周波数帯域における電波強度を測定する複数の電波強度測定部と、複数の周波数帯域における電波強度を表示する複数の電波強度表示部と、複数の周波数帯域の中の第１の周波数帯域における電波から通信内容を解析する第１の電文解析部と、第２の周波数帯域における電波から通信内容を解析する第２の電文解析部と、複数の周波数帯域の中の第１の周波数帯域における電波から解析した通信内容を送信する第１の電文通信部と、第２の周波数帯域における電波から解析した通信内容を送信する第２の電文通信部と、現在時刻を計数する時刻計数部と、前記第１の電文通信部および第２の電文通信部から受信した内容を記憶する記憶部と、前記記憶部に記憶された内容を電文表示部に表示させる制御部とからなり、前記制御部は前記第１の電文通信部から通信内容を受信したとき、前記時刻計数部から入力した時刻と通信内容を前期記憶部に記憶し、前記第２の電文通信部から通信内容を受信したとき、前記時刻計数部から入力した時刻と通信内容を前期記憶部に記憶するとともに、前記表示部に対しそれぞれ受信時刻順に受信内容の表示を行うように制御することを特徴とする自動検針無線計測装置。
【請求項２】
第１の周波数帯域を選択する第１の周波数選択部と、第２の周波数帯域を選択する第２の周波数選択部とからなる請求項１記載の自動検針無線計測装置。
【請求項３】
第１の周波数帯域における電波の有無を検出する第１の電波検出部において、電波を検出すると第１の音色で電波受信を知らせる第１の音色発生部と、第２の周波数帯域における電波の有無を検出する第２の電波検出部において、電波を検出すると第２の音色で電波受信を知らせる第２の音色発生部とからなる請求項１記載の自動検針無線計測装置。
【発明の詳細な説明】
【０００１】
【発明の属する技術分野】
本発明はガス、水道、電気等の使用量の検針を行う際の自動検針無線機の計測装置に関する。
【０００２】
【従来の技術】
家庭やオフィスあるいは工場などのガス、水道、電気等を使用するところにはその使用量を測定するためのメータが設置されている。このメータはガス、水道、電気等の使用量のデータを記録しておき、従来は検針員がそのデータを回収していた。
【０００３】
最近になって、メータに記録されたデータを電話等の通信回線を介して隔測検針装置であるセンタに回収する自動検針システムが普及し始めている。
【０００４】
この自動検針システムは、たとえば、各需要家に設置されている電話用の回線とメータとを通信線で接続し、電話回線を介してセンタとメータとで通信を行うものである。
【０００５】
ところで、このような自動検針システムの場合、電話用の回線とメータとを通信線で接続する必要があるため、需要家の屋内外に通信線を引き回し配線する手間と費用が必要であった。
【０００６】
特に、電話用の回線とメータとが離れている場合にはこの配線作業はかなりの負担であり、既設の家屋の場合には配線が無理な場合さえあった。
【０００７】
そこで、各需要家の電話用の回線に端末網制御装置（以下「Ｔ−ＮＣＵ」という）を介して無線親機を接続するとともにメータに無線子機を接続し、無線親機と無線子機との間で無線で通信を行うようにすることによって屋内外の配線を不要とする自動検針システムについて提案されている（特許文献１）。
【０００８】
【特許文献１】
特開平６−８５９３８号公報
【０００９】
【発明が解決しようとする課題】
ところでこうしたシステムでは、無線親機と無線子機の登録作業は、無線子機とメータの接続後、所定の操作、例えば、無線子機と無線親機の起動用スイッチ等を同時に入力することによって無線子機がメータからメータ管理ＩＤを取得し、この取得したメータ管理ＩＤを無線送信により無線親機に送信し、無線親機は無線子機からメータ管理ＩＤを取得すると、次に親機の持っている無線通信に必要な通信情報を無線子機に送信する。
【００１０】
これにより、無線親機と無線子機の登録作業が完了し、以降隔測検針装置であるセンタからメータまでの通信が可能となる。
【００１１】
ところが、これらの登録作業後、隔測検針装置であるセンタからの通信が可能となるわけであるが、無線親機と無線子機の登録ミスや、有線通信においては無線子機とメータ間の通信線の断線や接触不良などがあり、無線通信においては通信周波数帯域における各種妨害波または他システムとの通信衝突等の原因により通信不良が発生することがしばしばある。
【００１２】
また、無線通信においては第１の周波数帯域（いわゆるメインチャンネル）における通信が使用中の場合、第２の周波数帯域（いわゆるサブチャンネル）に切り替えて通信することもある。
【００１３】
しかし、有線通信における原因か無線通信における原因かを容易に検出ことが作業現場では困難であり、正常に完了するまでかなりの時間がかかってしまうという問題がある。特に無線通信における原因を究明するのは非常に困難である。
【００１４】
また、複数の周波数帯域の中からメインチャンネルや、サブチャンネル以外のチャンネルで通信している場合、隣のチャンネルが通信中でもメインチャンネルや、サブチャンネルに影響される場合もあり、メインチャンネルや、サブチャンネル以外の電波状況も監視する必要がある。
【００１５】
本発明は上記の点に鑑みてなされたもので、自動検針無線機の無線通信時における通信不良となる原因を容易に識別することができ、自動検針システムのメンテナンス性を高めることができる自動検針無線機の計測装置を提供することを目的とする。
【００１６】
【課題を解決するための手段】
本発明は上記の課題を達成するために、回線を介して隔測検針装置と接続される無線親機とメータに接続される無線子機との間で第１の周波数帯域で無線による通信を行い、前記第１の周波数帯域が使用中の場合、第２の周波数帯域に切り替えて無線による通信を行い、前記メータと隔測検針装置との間を通信可能として前記メータの検針を行う自動検針システムの自動検針無線機に対して無線の通信状態を計測する自動検針無線計測装置において、前記自動検針無線計測装置は、複数の周波数帯域における電波の有無を検出する複数の電波検出部と、複数の周波数帯域における電波強度を測定する複数の電波強度測定部と、複数の周波数帯域における電波強度を表示する複数の電波強度表示部と、複数の周波数帯域の中の第１の周波数帯域における電波から通信内容を解析する第１の電文解析部と、第２の周波数帯域における電波から通信内容を解析する第２の電文解析部と、複数の周波数帯域の中の第１の周波数帯域における電波から解析した通信内容を送信する第１の電文通信部と、第２の周波数帯域における電波から解析した通信内容を送信する第２の電文通信部と、現在時刻を計数する時刻計数部と、前記第１の電文通信部および第２の電文通信部から受信した内容を記憶する記憶部と、前記記憶部に記憶された内容を電文表示部に表示させる制御部とからなり、前記制御部は前記第１の電文通信部から通信内容を受信したとき、前記時刻計数部から入力した時刻と通信内容を前期記憶部に記憶し、前記第２の電文通信部から通信内容を受信したとき、前記時刻計数部から入力した時刻と通信内容を前期記憶部に記憶するとともに、前記表示部に対しそれぞれ受信時刻順に受信内容の表示を行うように制御するようにしたものである。
【００１７】
したがって、無線親機および無線子機間における無線通信において、複数の周波数帯域における電波の有無を検出しそれぞれの周波数帯域に無線親機および無線子機間における無線通信において、複数の周波数帯域における電波の有無を検出しそれぞれの周波数帯域における電波強度を測定して電波強度を表示する複数の電波強度表示部と、複数の周波数帯域の中の第１の周波数帯域（いわゆるメインチャンネル）における通信と第２の周波数帯域（いわゆるサブチャンネル）における通信の両方を監視し、電波があれば通信内容を解析して記憶部に記憶し、表示部に対しそれぞれ受信時刻順に受信内容の表示も行うよう制御する。
【００１８】
【発明の実施の形態】
上記目的を達成するために本発明は、回線を介して隔測検針装置と接続される無線親機とメータに接続される無線子機との間で第１の周波数帯域で無線による通信を行い、前記第１の周波数帯域が使用中の場合、第２の周波数帯域に切り替えて無線による通信を行い、前記メータと隔測検針装置との間を通信可能として前記メータの検針を行う自動検針システムの自動検針無線機に対して無線の通信状態を計測する自動検針無線計測装置において、前記自動検針無線計測装置は、複数の周波数帯域における電波の有無を検出する複数の電波検出部と、複数の周波数帯域における電波強度を測定する複数の電波強度測定部と、複数の周波数帯域における電波強度を表示する複数の電波強度表示部と、複数の周波数帯域の中の第１の周波数帯域における電波から通信内容を解析する第１の電文解析部と、第２の周波数帯域における電波から通信内容を解析する第２の電文解析部と、複数の周波数帯域の中の第１の周波数帯域における電波から解析した通信内容を送信する第１の電文通信部と、第２の周波数帯域における電波から解析した通信内容を送信する第２の電文通信部と、現在時刻を計数する時刻計数部と、前記第１の電文通信部および第２の電文通信部から受信した内容を記憶する記憶部と、前記記憶部に記憶された内容を電文表示部に表示させる制御部とからなり、前記制御部は前記第１の電文通信部から通信内容を受信したとき、前記時刻計数部から入力した時刻と通信内容を前期記憶部に記憶し、前記第２の電文通信部から通信内容を受信したとき、前記時刻計数部から入力した時刻と通信内容を前期記憶部に記憶するとともに、前記表示部に対しそれぞれ受信時刻順に受信内容の表示を行うように制御するようにしたものである。
【００１９】
また、第１の周波数帯域を選択する第１の周波数選択部と、第２の周波数帯域を選択する第２の周波数選択部とを備えている。
【００２０】
さらに、第１の周波数帯域における電波の有無を検出する第１の電波検出部において、電波を検出すると第１の音色で電波受信を知らせる第１の音色発生部と、第２の周波数帯域における電波の有無を検出する第２の電波検出部において、電波を検出すると第２の音色で電波受信を知らせる第２の音色発生部を有するものである。
【００２１】
【実施例】
以下、本発明の実施例について図面を用いて説明する。
【００２２】
（実施例１）
以下本発明を図面に基づいて説明する。
【００２３】
図１において、１は隔測検針装置であり、回線およびＴ−ＮＣＵ２を介して自動検針無線機３の無線親機４と接続される。自動検針無線機３の無線子機５は前記無線親機４に対向して設けられ需要家のメータ６に接続される。
【００２４】
７は自動検針無線計測装置、８は第１の周波数帯域における電波の有無を検出する第１の電波検出部９と、第２の周波数帯域における電波の有無を検出する第２の電波検出部１０を含む複数の電波検出部である。
【００２５】
１１は第１の周波数帯域における電波強度を測定する第１の電波強度測定部１２と、第２の周波数帯域における電波強度を測定する第２の電波強度測定部１３を含む複数の電波強度測定部である。
【００２６】
１４は複数の周波数帯域における電波強度を表示する複数の電波強度表示部、１５は第１の周波数帯域における電波から通信内容を解析する第１の電文解析部、１６は第２の周波数帯域における電波から通信内容を解析する第２の電文解析部、１７は第１の周波数帯域における電波から解析した通信内容を送信する第１の電文通信部である。
【００２７】
１８は第２の周波数帯域における電波から解析した通信内容を送信する第２の電文通信部、１９は現在時刻を計数する時刻計数部、２０は第１の電文通信部１７および第２の電文通信部１８から受信した内容を記憶する記憶部、２２は記憶部に記憶された内容を電文表示部２１に表示させる制御部である。
【００２８】
センターからの自動検針の場合、隔測検針装置１から回線およびＴ−ＮＣＵ２を介して自動検針無線機３の無線親機４に対して、メータの検針要求を送信し、無線親機４から無線子機５に対してメータの検針要求を無線送信して、無線子機５が需要家のメータ６に対して検針要求を送信する。
【００２９】
無線子機５はメータ６からの検針応答を受信すると、無線親機４対して検針応答を無線送信し、無線親機４からＴ−ＮＣＵ２を介して隔測検針装置１に検針応答を送信する。こうして、メータ６の検針値をセンターで集中検針できる。
【００３０】
無線通信の解析および表示は、無線親機４〜無線子機５間における相互の無線通信を監視し、第１の電波検出部９で第１の周波数帯域における電波を検出すると第１の電文解析部１５で第１の周波数帯域における電波から通信内容を解析し、第１の電文通信部１７から通信内容を制御部２２に送信する。
【００３１】
このとき制御部２２は時刻計数部１９から現在時刻を同時に読み取り、記憶部２０に通信内容および現在時刻を記憶させる。
【００３２】
また、第２の電波検出部１０で第２の周波数帯域における電波を検出すると第２の電文解析部１６で第２の周波数帯域における電波から通信内容を解析し、第２の電文通信部１８から通信内容を制御部２２に送信する。
【００３３】
このとき制御部２２は時刻計数部１９から現在時刻を同時に読み取り、記憶部２０に通信内容および現在時刻を記憶させる。
【００３４】
このときの無線通信内容は送信元アドレス、送信先アドレス、データ種別、データ本文等であり、どこからどこへどのような通信が行われたかが判断できるものである。
【００３５】
制御部２２は記憶部２０に記憶された通信内容および通信時刻等を電文表示部２１に表示させる。
【００３６】
また、第１の周波数帯域における電波の有無を検出する第１の電波検出部９と、第２の周波数帯域における電波の有無を検出する第２の電波検出部１０を含む複数の電波検出部８から、第１の周波数帯域における電波強度を測定する第１の電波強度測定部１２と、第２の周波数帯域における電波強度を測定する第２の電波強度測定部１３を含む複数の電波強度測定部１１を介して制御部２２へ測定された複数の電波強度を複数の電波強度表示部１４で表示する。
【００３７】
この複数の電波強度表示部１４により、第１の周波数帯域（いわゆるメインチャンネル）における通信と第２の周波数帯域（いわゆるサブチャンネル）以外の電波状況も確認できる。
【００３８】
（実施例２）
本発明の他の実施例について図２を用いて説明する。なお、図２において、図１と同一部分には同一の番号を付した。
【００３９】
１は隔測検針装置であり回線およびＴ−ＮＣＵ２を介して自動検針無線機３の無線親機４と接続される。
【００４０】
自動検針無線機３の無線子機５は前記無線親機４に対向して設けられ需要家のメータ６に接続される。
【００４１】
７は自動検針無線計測装置、８は第１の周波数帯域における電波の有無を検出する第１の電波検出部９と、第２の周波数帯域における電波の有無を検出する第２の電波検出部１０を含む複数の電波検出部である。
【００４２】
１１は第１の周波数帯域における電波強度を測定する第１の電波強度測定部１２と、第２の周波数帯域における電波強度を測定する第２の電波強度測定部１３を含む複数の電波強度測定部である。
【００４３】
１４は複数の周波数帯域における電波強度を表示する複数の電波強度表示部、１５は第１の周波数帯域における電波から通信内容を解析する第１の電文解析部、１６は第２の周波数帯域における電波から通信内容を解析する第２の電文解析部である。
【００４４】
１７は第１の周波数帯域における電波から解析した通信内容を送信する第１の電文通信部、１８は第２の周波数帯域における電波から解析した通信内容を送信する第２の電文通信部、１９は現在時刻を計数する時刻計数部である。
【００４５】
２０は第１の電文通信部１７および第２の電文通信部１８から受信した内容を記憶する記憶部、２３は第１の周波数帯域を選択する第１の周波数選択部、２４は第２の周波数帯域を選択する第１の周波数選択部、２２は記憶部に記憶された内容を電文表示部２１に表示させる制御部である。
【００４６】
センターからの自動検針の場合、隔測検針装置１から回線およびＴ−ＮＣＵ２を介して自動検針無線機３の無線親機４に対して、メータの検針要求を送信し、無線親機４から無線子機５に対してメータの検針要求を無線送信して、無線子機５が需要家のメータ６に対して検針要求を送信する。
【００４７】
無線子機５はメータ６からの検針応答を受信すると、無線親機４対して検針応答を無線送信し、無線親機４からＴ−ＮＣＵ２を介して隔測検針装置１に検針応答を送信する。こうして、メータ６の検針値をセンターで集中検針できる。
【００４８】
無線通信の解析および表示は、無線親機４〜無線子機５間における相互の無線通信を監視し、第１の電波検出部９で第１の周波数帯域における電波を検出すると第１の電文解析部１５で第１の周波数帯域における電波から通信内容を解析し、第１の電文通信部１７から通信内容を制御部２２に送信する。
【００４９】
このとき制御部２２は時刻計数部１９から現在時刻を同時に読み取り、記憶部２０に通信内容および現在時刻を記憶させる。
【００５０】
また、第２の電波検出部１０で第２の周波数帯域における電波を検出すると第２の電文解析部１６で第２の周波数帯域における電波から通信内容を解析し、第２の電文通信部１８から通信内容を制御部２２に送信する。
【００５１】
このとき制御部２２は時刻計数部１９から現在時刻を同時に読み取り、記憶部２０に通信内容および現在時刻を記憶させる。このときの無線通信内容は送信元アドレス、送信先アドレス、データ種別、データ本文等であり、どこからどこへどのような通信が行われたかが判断できるものである。
【００５２】
制御部２２は記憶部２０に記憶された通信内容および通信時刻等を電文表示部２１に表示させる。
【００５３】
第１の周波数選択部２３は第１の周波数帯域（メインチャンネル）たとえば１チャンネルから６チャンネルのなかからを希望のチャンネルを選択する。第２の周波数選択部２４は第２の周波数帯域（サブチャンネル）たとえば１チャンネルから６チャンネルのなかからを希望のチャンネルを選択する。
【００５４】
第１の周波数選択部２３からのチャンネル選択により制御部２２は、第１の電波検出部９および第１の電文解析部１５に対してチャンネルの変更を行う。
【００５５】
第２の周波数選択部２４からのチャンネル選択により制御部２２は、第２の電波検出部１０および第２の電文解析部１６に対してチャンネルの変更を行う。
【００５６】
このように、システム毎に通信チャンネルが競合しないように、設定変更して通信する場合にも対応できる。
【００５７】
また、第１の周波数帯域における電波の有無を検出する第１の電波検出部９と、第２の周波数帯域における電波の有無を検出する第２の電波検出部１０を含む複数の電波検出部８から、第１の周波数帯域における電波強度を測定する第１の電波強度測定部１２と、第２の周波数帯域における電波強度を測定する第２の電波強度測定部１３を含む複数の電波強度測定部１１を介して制御部２２へ測定された複数の電波強度を複数の電波強度表示部１４で表示する。
【００５８】
この複数の電波強度表示部１４により、第１の周波数帯域（いわゆるメインチャンネル）における通信と第２の周波数帯域（いわゆるサブチャンネル）以外の電波状況も確認できる。
【００５９】
（実施例３）
本発明の他の実施例について図３を用いて説明する。なお、図１と同一部分には同一の番号を付してある。
【００６０】
１は隔測検針装置であり、回線およびＴ−ＮＣＵ２を介して自動検針無線機３の無線親機４と接続される。
【００６１】
自動検針無線機３の無線子機５は前記無線親機４に対向して設けられ需要家のメータ６に接続される。
【００６２】
７は自動検針無線計測装置、８は第１の周波数帯域における電波の有無を検出する第１の電波検出部９と、第２の周波数帯域における電波の有無を検出する第２の電波検出部１０を含む複数の電波検出部である。
【００６３】
１１は第１の周波数帯域における電波強度を測定する第１の電波強度測定部１２と、第２の周波数帯域における電波強度を測定する第２の電波強度測定部１３を含む複数の電波強度測定部である。
【００６４】
１４は複数の周波数帯域における電波強度を表示する複数の電波強度表示部、１５は第１の周波数帯域における電波から通信内容を解析する第１の電文解析部、１６は第２の周波数帯域における電波から通信内容を解析する第２の電文解析部である。
【００６５】
１７は第１の周波数帯域における電波から解析した通信内容を送信する第１の電文通信部、１８は第２の周波数帯域における電波から解析した通信内容を送信する第２の電文通信部、１９は現在時刻を計数する時刻計数部である。
【００６６】
２０は第１の電文通信部１７および第２の電文通信部１８から受信した内容を記憶する記憶部、２３は第１の周波数帯域を選択する第１の周波数選択部、２４は第２の周波数帯域を選択する第１の周波数選択部、２２は記憶部に記憶された内容を電文表示部２１に表示させる制御部である。
【００６７】
２５は第１の周波数帯域における電波の有無を検出する第１の電波検出部において、電波を検出すると第１の音色で電波受信を知らせる第１の音色発生部、２６は第２の周波数帯域における電波の有無を検出する第２の電波検出部において、電波を検出すると第２の音色で電波受信を知らせる第２の音色発生部である。
【００６８】
センターからの自動検針の場合、隔測検針装置１から回線およびＴ−ＮＣＵ２を介して自動検針無線機３の無線親機４に対して、メータの検針要求を送信し、無線親機４から無線子機５に対してメータの検針要求を無線送信して、無線子機５が需要家のメータ６に対して検針要求を送信する。
【００６９】
無線子機５はメータ６からの検針応答を受信すると、無線親機４対して検針応答を無線送信し、無線親機４からＴ−ＮＣＵ２を介して隔測検針装置１に検針応答を送信する。こうして、メータ６の検針値をセンターで集中検針できる。
【００７０】
無線通信の解析および表示は、無線親機４〜無線子機５間における相互の無線通信を監視し、第１の電波検出部９で第１の周波数帯域における電波を検出すると第１の電文解析部１５で第１の周波数帯域における電波から通信内容を解析し、第１の電文通信部１７から通信内容を制御部２２に送信する。
【００７１】
このとき制御部２２は時刻計数部１９から現在時刻を同時に読み取り、記憶部２０に通信内容および現在時刻を記憶させる。
【００７２】
また、第２の電波検出部１０で第２の周波数帯域における電波を検出すると第２の電文解析部１６で第２の周波数帯域における電波から通信内容を解析し、第２の電文通信部１８から通信内容を制御部２２に送信する。
【００７３】
このとき制御部２２は時刻計数部１９から現在時刻を同時に読み取り、記憶部２０に通信内容および現在時刻を記憶させる。このときの無線通信内容は送信元アドレス、送信先アドレス、データ種別、データ本文等であり、どこからどこへどのような通信が行われたかが判断できるものである。
【００７４】
制御部２２は記憶部２０に記憶された通信内容および通信時刻等を電文表示部２１に表示させる。
【００７５】
第１の周波数選択部２３は第１の周波数帯域（メインチャンネル）たとえば１チャンネルから６チャンネルのなかからを希望のチャンネルを選択する。第２の周波数選択部２４は第２の周波数帯域（サブチャンネル）例えば、１チャンネルから６チャンネルのなかからを希望のチャンネルを選択する。
【００７６】
第１の周波数選択部２３からのチャンネル選択により制御部２２は、第１の電波検出部９および第１の電文解析部１５に対してチャンネルの変更を行う。
【００７７】
第２の周波数選択部２４からのチャンネル選択により制御部２２は、第２の電波検出部１０および第２の電文解析部１６に対してチャンネルの変更を行う。
【００７８】
このように、システム毎に通信チャンネルが競合しないように、設定変更して通信する場合にも対応できる。
【００７９】
また、第１の周波数帯域における電波の有無を検出する第１の電波検出部９と、第２の周波数帯域における電波の有無を検出する第２の電波検出部１０を含む複数の電波検出部８から、第１の周波数帯域における電波強度を測定する第１の電波強度測定部１２と、第２の周波数帯域における電波強度を測定する第２の電波強度測定部１３を含む複数の電波強度測定部１１を介して制御部２２へ測定された複数の電波強度を複数の電波強度表示部１４で表示する。
【００８０】
この複数の電波強度表示部１４により、第１の周波数帯域（いわゆるメインチャンネル）における通信と第２の周波数帯域（いわゆるサブチャンネル）以外の電波状況も確認できる。
【００８１】
第１の周波数帯域における電波の有無を検出する第１の電波検出部において、電波を検出すると第１の音色発生部２５は第１の音色で電波受信を知らせる。
【００８２】
第２の周波数帯域における電波の有無を検出する第２の電波検出部において、電波を検出すると第２の音色発生部２６は第２の音色で電波受信を知らせる。
【００８３】
この場合、第１の音色と第２の音色はブザー音などで発振周波数を変えれば容易に聞き分けできる。
【００８４】
以上説明したように、これら実施例に拠れば、無線親機および無線子機間における無線通信において、複数の周波数帯域における電波の有無を検出しそれぞれの周波数帯域における電波強度を測定して電波強度を表示する複数の電波強度表示部を設けるとともに、第１の周波数帯域（いわゆるメインチャンネル）における通信と第２の周波数帯域（いわゆるサブチャンネル）における通信の両方を監視し、電波があれば通信内容を解析して記憶部に記憶し、表示部に対しそれぞれ受信時刻順に受信内容の表示も行うよう制御する。
【００８５】
また、第１の周波数帯域と第２の周波数帯域を選択できるようにして、システム毎に異なるチャンネルでも受信できるようにする。
【００８６】
また、第１の周波数帯域と第２の周波数帯域のどちらで受信したか音色で聞き分けできるようにする。
【００８７】
【発明の効果】
以上説明したように本発明によれば、自動検針無線機の無線通信時における通信不良となる原因を容易に識別することができ、自動検針システムのメンテナンス性を高めることができるものである。
【図面の簡単な説明】
【図１】本発明による自動検針無線機を含む自動検針システムおよび自動検針無線計測装置のブロック図
【図２】本発明の他の実施例についての自動検針無線機を含む自動検針システムおよび自動検針無線計測装置のブロック図
【図３】本発明の他の実施例についての自動検針無線機を含む自動検針システムおよび自動検針無線計測装置のブロック図
【符号の説明】
１  隔測検針装置
２  Ｔ−ＮＣＵ
３  自動検針無線機
４  無線親機
５  無線子機
６  メータ
７  自動検針無線計測装置
８  複数の電波検出部
９  第１の電波検出部
１０  第２の電波検出部
１１  複数の電波強度検出部
１２  第１の電波強度検出部
１３  第２の電波強度検出部
１４  複数の電波強度表示部
１５  第１の電文解析部
１６  第２の電文解析部
１７  第１の電文通信部
１８  第２の電文通信部
１９  時刻計数部
２０  記憶部
２１  電文表示部
２２  制御部
２３  第１の周波数選択部
２４  第２の周波数選択部
２５  第１の音色発生部
２６  第２の音色発生部
【図１】
2004215154.tif 000003
【図２】
2004215154.tif 000004
【図３】
2004215154.tif 000005